(57)【要約】【課題】  光ピックアップ装置の歩留まりを悪くせずに、波長が異なる２種類のコヒーレント光線（例えば、２波長レーザ光線）の双方において、光ディスクに対する情報の読取りおよび書込みの双方を高精度に行うことができる小型でしかも安価な光学部品およびこれを備えた光ピックアップ装置を提供すること。【解決手段】  波長が異なる２種類のコヒーレント光線を、第１回折構造２６に入射させ、第２および第３回折構造２７，２８を経て第４回折構造２９から出射させる際に、両コヒーレント光線からそれぞれ３ビームを発生させることが可能とされ、かつ、両コヒーレント光線の光線軸と一致させるように光線軸調整を行うことが可能とされていること。【選択図】      図１
2006012320.tif 000002
【特許請求の範囲】
【請求項１】
コヒーレント光線の入射側から順に、第１回折構造、第２回折構造、第３回折構造および第４回折構造からなる４つの回折構造を備え、
これら４つの回折構造のうちの任意の２つの回折構造は、２段からなる段構造を有し、前記４つの回折構造のうちの他の２つの回折構造は、少なくとも３段からなる階段状の段構造を有するように形成され、
進行方向に直交する方向に互いに所定の間隔を有するようにして進行する波長が異なる２種類のコヒーレント光線を、前記第１回折構造に入射させ、前記第２および第３回折構造を経て前記第４回折構造から出射させる際に、両コヒーレント光線からそれぞれ３ビームを発生させることが可能とされ、かつ、両コヒーレント光線の光線軸を一致させる光線軸調整を行うことが可能とされていることを特徴とする光学部品。
【請求項２】
前記第２回折構造と前記第３回折構造とが、２段からなる段構造を有するように形成され、
前記第１回折構造と前記第４回折構造とが、少なくとも３段からなる階段状の段構造を有するとともに、これら第１回折構造および第４回折構造における各段構造に接する傾斜状の接線が、両回折構造の間で互いに平行となるように形成され、
前記第１回折構造は、前記２種類のコヒーレント光線のうちの相対的に波長が短い一方のコヒーレント光線を回折させずにそのまま透過させ、かつ、相対的に波長が長い他方のコヒーレント光線を回折させるように形成され、
前記第２回折構造は、前記一方のコヒーレント光線を回折させずにそのまま透過させ、かつ、前記第１回折構造における回折によって生じた前記他方のコヒーレント光線についての前記第１回折構造における+１次の回折光を回折させることにより、前記他方のコヒーレント光線側の３ビームを発生させるように形成され、
前記第３回折構造は、前記一方のコヒーレント光線を回折させることにより、前記一方のコヒーレント光線側の３ビームを発生させ、かつ、前記他方のコヒーレント光線側の３ビームを回折させずにそのまま透過させるように形成され、
前記第４回折構造は、前記一方のコヒーレント光線側の３ビームを回折させずにそのまま透過させ、かつ、前記他方のコヒーレント光線側の３ビームを回折させるように形成され、
前記他方のコヒーレント光線側の３ビームのメインビームについての前記第４回折構造における+１次の回折光と、前記一方のコヒーレント光線側の３ビームのメインビームとの光線軸を一致させることが可能とされていること
を特徴とする請求項１に記載の光学部品。
【請求項３】
前記第２回折構造と前記第４回折構造とが、２段からなる段構造を有するように形成され、
前記第１回折構造と前記第３回折構造とが、少なくとも３段からなる階段状の段構造を有するように形成され、
前記第１回折構造は、前記２種類のコヒーレント光線のうちの相対的に波長が短い一方のコヒーレント光線を回折させずにそのまま透過させ、かつ、相対的に波長が長い他方のコヒーレント光線を回折させるように形成され、
前記第２回折構造は、前記一方のコヒーレント光線を回折させずにそのまま透過させ、かつ、前記第１回折構造における回折によって生じた前記他方のコヒーレント光線についての前記第１回折構造における+１次の回折光を回折させることにより、前記他方のコヒーレント光線側の３ビームを発生させるように形成され、
前記第３回折構造は、前記一方のコヒーレント光線を回折させずにそのまま透過させ、かつ、前記他方のコヒーレント光線側の３ビームを回折させるように形成され、
前記第４回折構造は、前記一方のコヒーレント光線を回折させることにより、前記一方のコヒーレント光線側の３ビームを発生させ、かつ、前記他方のコヒーレント光線側の３ビームを回折させずにそのまま透過させるように形成され、
前記他方のコヒーレント光線側の３ビームのメインビームについての前記第３回折構造における＋１次の回折光と、前記一方のコヒーレント光線側の３ビームのメインビームとの光線軸を一致させることが可能とされていること
を特徴とする請求項１に記載の光学部品。
【請求項４】
前記第１回折構造と前記第３回折構造とが、２段からなる段構造を有するように形成され、
前記第２回折構造と前記第４回折構造とが、少なくとも３段からなる階段状の段構造を有するように形成され、
前記第１回折構造は、前記２種類のコヒーレント光線のうちの相対的に波長が短い一方のコヒーレント光線を回折させずにそのまま透過させ、かつ、相対的に波長が長い他方のコヒーレント光線を回折させることにより、前記他方のコヒーレント光線側の３ビームを発生させるように形成され、
前記第２回折構造は、前記一方のコヒーレント光線を回折させずにそのまま透過させ、かつ、前記他方のコヒーレント光線側の３ビームを回折させるように形成され、
前記第３回折構造は、前記一方のコヒーレント光線を回折させることにより、前記一方のコヒーレント光線側の３ビームを発生させ、かつ、前記他方のコヒーレント光線側の３ビームを回折させずにそのまま透過させるように形成され、
前記第４回折構造は、前記一方のコヒーレント光線側の３ビームを回折させずにそのまま透過させ、かつ、前記他方のコヒーレント光線側の３ビームを回折させるように形成され、
前記他方のコヒーレント光線側の３ビームのメインビームについての前記第４回折構造における+１次の回折光と、前記一方のコヒーレント光線側の３ビームのメインビームとの光線軸を一致させることが可能とされていること
を特徴とする請求項１に記載の光学部品。
【請求項５】
前記第１回折構造と前記第４回折構造とが、２段からなる段構造を有するように形成され、
前記第２回折構造と前記第３回折構造とが、少なくとも３段からなる階段状の段構造を有するとともに、これら第２回折構造および第３回折構造における各段構造に接する傾斜状の接線が、両回折構造の間で互いに平行となるように形成され、
前記第１回折構造は、前記２種類のコヒーレント光線のうちの相対的に波長が短い一方のコヒーレント光線を回折させずにそのまま透過させ、かつ、相対的に波長が長い他方のコヒーレント光線を回折させることにより、前記他方のコヒーレント光線側の３ビームを発生させるように形成され、
前記第２回折構造は、前記一方のコヒーレント光線を回折させずにそのまま透過させ、かつ、前記他方のコヒーレント光線側の３ビームを回折させるように形成され、
前記第３回折構造は、前記一方のコヒーレント光線を回折させずにそのまま透過させ、かつ、前記他方のコヒーレント光線側の３ビームを回折させるように形成され、
前記第４回折構造は、前記一方のコヒーレント光線を回折させることにより、前記一方のコヒーレント光線側の３ビームを発生させ、かつ、前記他方のコヒーレント光線側の３ビームを回折させずにそのまま透過させるように形成され、
前記他方のコヒーレント光線側の３ビームのメインビームについての前記第３回折構造における＋１次の回折光と、前記一方のコヒーレント光線側の３ビームのメインビームとの光線軸を一致させることが可能とされていること
を特徴とする請求項１に記載の光学部品。
【請求項６】
前記第１回折構造および前記第２回折構造が、第１基材における入射側の光学機能面および出射側の光学機能面にそれぞれ形成され、
前記第３回折構造および前記第４回折構造が、第２基材における入射側の光学機能面および出射側の光学機能面にそれぞれ形成され、
前記第１基材と前記第２基材とが互いに固定されていること
を特徴とする請求項１乃至請求項５のいずれか１項に記載の光学部品。
【請求項７】
前記第１基材および前記第２基材における互いの固定部位に、係合部が形成されていることを特徴とする請求項６に記載の光学部品。
【請求項８】
進行方向に直交する方向に互いに所定の間隔を有するようにして進行する波長が異なる２種類のコヒーレント光線を発生させる２波長コヒーレント光源を有し、当該２波長コヒーレント光源から発生した各コヒーレント光線を、各コヒーレント光線に対応する光ディスクに対物レンズを介して照射することによって、光ディスクに対する情報の読取りおよび書込みが可能とされた光ピックアップ装置において、
前記２波長コヒーレント光源側から順に、第１回折構造、第２回折構造、第３回折構造および第４回折構造からなる４つの回折構造を備え、
これら４つの回折構造のうちの任意の２つの回折構造は、２段からなる段構造を有し、前記４つの回折構造のうちの他の２つの回折構造は、少なくとも３段からなる階段状の段構造を有するように形成され、
前記波長が異なる２種類のレーザ光線を、前記第１回折構造に入射させ、前記第２および第３回折構造を経て前記第４回折構造から出射させる際に、両コヒーレント光線からそれぞれ３ビームを発生させることが可能とされ、かつ、両コヒーレント光線の光線軸が前記光ピックアップ装置内の光学系の光軸に一致するように光線軸調整を行うことが可能とされている光学部品
を、前記２波長コヒーレント光源と前記対物レンズとの間に備えた
ことを特徴とする光ピックアップ装置。
【請求項９】
前記光学部品は、
前記第２回折構造と前記第３回折構造とが、２段からなる段構造を有するように形成され、
前記第１回折構造と前記第４回折構造とが、少なくとも３段からなる階段状の段構造を有するとともに、これら第１回折構造および第４回折構造における各段構造に接する傾斜状の接線が、両回折構造の間で互いに平行となるように形成され、
前記第１回折構造が、前記２種類のコヒーレント光線のうちの相対的に波長が短い一方のコヒーレント光線を回折させずにそのまま透過させ、かつ、相対的に波長が長い他方のコヒーレント光線を回折させるように形成され、
前記第２回折構造が、前記一方のコヒーレント光線を回折させずにそのまま透過させ、かつ、前記第１回折構造における回折によって生じた前記他方のコヒーレント光線についての前記第１回折構造における+１次の回折光を回折させることにより、前記他方のコヒーレント光線側の３ビームを発生させるように形成され、
前記第３回折構造が、前記一方のコヒーレント光線を回折させることにより、前記一方のコヒーレント光線側の３ビームを発生させ、かつ、前記他方のコヒーレント光線側の３ビームを回折させずにそのまま透過させるように形成され、
前記第４回折構造が、前記一方のコヒーレント光線側の３ビームを回折させずにそのまま透過させ、かつ、前記他方のコヒーレント光線側の３ビームを回折させるように形成され、
前記他方のコヒーレント光線側の３ビームのメインビームについての前記第４回折構造における+１次の回折光と、前記一方のコヒーレント光線側の３ビームのメインビームとの光線軸を、前記光学系の光軸に一致させることが可能とされていること
を特徴とする請求項８に記載の光ピックアップ装置。
【請求項１０】
前記光学部品は、
前記第２回折構造と前記第４回折構造とが、２段からなる段構造を有するように形成され、
前記第１回折構造と前記第３回折構造とが、少なくとも３段からなる階段状の段構造を有するように形成され、
前記第１回折構造が、前記２種類のコヒーレント光線のうちの相対的に波長が短い一方のコヒーレント光線を回折させずにそのまま透過させ、かつ、相対的に波長が長い他方のコヒーレント光線を回折させるように形成され、
前記第２回折構造が、前記一方のコヒーレント光線を回折させずにそのまま透過させ、かつ、前記第１回折構造における回折によって生じた前記他方のコヒーレント光線についての前記第１回折構造における+１次の回折光を回折させることにより、前記他方のコヒーレント光線側の３ビームを発生させるように形成され、
前記第３回折構造が、前記一方のコヒーレント光線を回折させずにそのまま透過させ、かつ、前記他方のコヒーレント光線側の３ビームを回折させるように形成され、
前記第４回折構造が、前記一方のコヒーレント光線を回折させることにより、前記一方のコヒーレント光線側の３ビームを発生させ、かつ、前記他方のコヒーレント光線側の３ビームを回折させずにそのまま透過させるように形成され、
前記他方のコヒーレント光線側の３ビームのメインビームについての前記第３回折構造における＋１次の回折光と、前記一方のコヒーレント光線側の３ビームのメインビームとの光線軸を、前記光学系の光軸に一致させることが可能とされていること
を特徴とする請求項８に記載の光ピックアップ装置。
【請求項１１】
前記光学部品は、
前記第１回折構造と前記第３回折構造とが、２段からなる段構造を有するように形成され、
前記第２回折構造と前記第４回折構造とが、少なくとも３段からなる階段状の段構造を有するように形成され、
前記第１回折構造が、前記２種類のコヒーレント光線のうちの相対的に波長が短い一方のコヒーレント光線を回折させずにそのまま透過させ、かつ、相対的に波長が長い他方のコヒーレント光線を回折させることにより、前記他方のコヒーレント光線側の３ビームを発生させるように形成され、
前記第２回折構造が、前記一方のコヒーレント光線を回折させずにそのまま透過させ、かつ、前記他方のコヒーレント光線側の３ビームを回折させるように形成され、
前記第３回折構造が、前記一方のコヒーレント光線を回折させることにより、前記一方のコヒーレント光線側の３ビームを発生させ、かつ、前記他方のコヒーレント光線側の３ビームを回折させずにそのまま透過させるように形成され、
前記第４回折構造が、前記一方のコヒーレント光線側の３ビームを回折させずにそのまま透過させ、かつ、前記他方のコヒーレント光線側の３ビームを回折させるように形成され、
前記他方のコヒーレント光線側の３ビームのメインビームについての前記第４回折構造における+１次の回折光と、前記一方のコヒーレント光線側の３ビームのメインビームとの光線軸を、前記光学系の光軸に一致させることが可能とされていること
を特徴とする請求項８に記載の光ピックアップ装置。
【請求項１２】
前記光学部品は、
前記第１回折構造と前記第４回折構造とが、２段からなる段構造を有するように形成され、
前記第２回折構造と前記第３回折構造とが、少なくとも３段からなる階段状の段構造を有するとともに、これら第２回折構造および第３回折構造における各段構造に接する傾斜状の接線が、両回折構造の間で互いに平行となるように形成され、
前記第１回折構造が、前記２種類のコヒーレント光線のうちの相対的に波長が短い一方のコヒーレント光線を回折させずにそのまま透過させ、かつ、相対的に波長が長い他方のコヒーレント光線を回折させることにより、前記他方のコヒーレント光線側の３ビームを発生させるように形成され、
前記第２回折構造が、前記一方のコヒーレント光線を回折させずにそのまま透過させ、かつ、前記他方のコヒーレント光線側の３ビームを回折させるように形成され、
前記第３回折構造が、前記一方のコヒーレント光線を回折させずにそのまま透過させ、かつ、前記他方のコヒーレント光線側の３ビームを回折させるように形成され、
前記第４回折構造が、前記一方のコヒーレント光線を回折させることにより、前記一方のコヒーレント光線側の３ビームを発生させ、かつ、前記他方のコヒーレント光線側の３ビームを回折させずにそのまま透過させるように形成され、
前記他方のコヒーレント光線側の３ビームのメインビームについての前記第３回折構造における＋１次の回折光と、前記一方のコヒーレント光線側の３ビームのメインビームとの光線軸を、前記光学系の光軸に一致させることが可能とされていること
を特徴とする請求項８に記載の光ピックアップ装置。
【請求項１３】
前記第１回折構造および前記第２回折構造が、第１基材における入射側の光学機能面および出射側の光学機能面にそれぞれ形成され、
前記第３回折構造および前記第４回折構造が、第２基材における入射側の光学機能面および出射側の光学機能面にそれぞれ形成され、
前記第１基材と前記第２基材とが互いに固定されていることによって、前記光学部品が形成されていること
を特徴とする請求項８乃至請求項１２のいずれか１項に記載の光ピックアップ装置。
【請求項１４】
前記光学部品の前記第１基材および前記第２基材における互いの固定部位に、係合部が形成されていることを特徴とする請求項１３に記載の光ピックアップ装置。
【発明の詳細な説明】
【技術分野】
【０００１】
本発明は、光学部品およびこれを備えた光ピックアップ装置に係り、特に、波長が異なる２種類のコヒーレント光線を選択的に用いて、光ディスクに対する情報の読取りおよび書込みを行うのに好適な光学部品およびこれを備えた光ピックアップ装置に関する。
【背景技術】
【０００２】
従来から、光ピックアップ装置においては、コヒーレント光線の一例として、光ディスクとしてのＣＤ（Compact Disk）に対応する７８０ｎｍ付近のレーザ光線を発するレーザ光源と、光ディスクとしてのＤＶＤ（Digital Versatile Disk）に対応する６５０ｎｍ付近のレーザ光線を発するレーザ光源との双方を搭載したものが知られている。
【０００３】
また、従来から、光ピックアップ装置においては、いわゆるトラッキングサーボを行うために、レーザ光源から出射されたレーザ光線を回折を利用して３ビームに変換することが一般的に行われていた。
【０００４】
図７は、このような従来の光ピックアップ装置を示したものであり、この光ピックアップ装置１は、互いに波長が異なる２種類のレーザ光線（以下、「２波長レーザ光線」と称する）をそれぞれ出射する２個のレーザ光源２，３を並設してなる２波長レーザ光源４を有している。
【０００５】
この２波長レーザ光源４に対してレーザ光線の出射側の位置には、当該レーザ光線の入射側の面および出射側の面にそれぞれ回折格子５，６が形成された両面回折格子７が配設されている（例えば、特許文献１、２参照）。
【０００６】
この両面回折格子７は、入射側の回折格子５によって、２波長レーザ光線のうちの相対的に波長が長い一方のレーザ光線（以下、「長波長レーザ光線」と称する）から３ビームを発生させ、出射側の回折格子６によって、相対的に波長が短い他方のレーザ光線（以下、「短波長レーザ光線」と称する）から３ビームを発生させるようになっている。
【０００７】
３ビームのうち、回折格子６，７における０次の回折光（０次光）は、光ディスクに対する情報の読取りまたは書込みに用いられるメインビームとされ、回折格子６，７における±１次の回折光は、トラッキングサーボに用いられるサブビームとされている。
【０００８】
なお、図７においては、便宜上、３ビームのうち、光量が最も多いメインビームのみが図示されている。
【０００９】
両面回折格子７に対してレーザ光線の出射側の位置には、ダイクロイックプリズムやダイクロイックミラー等の分光光学系８が配設されており、この分光光学系８は、両面回折格子７において発生した３ビームを透過させるようになっている。
【００１０】
分光光学系８に対してレーザ光線の透過側の位置には、コリメータレンズ１０が配設されており、このコリメータレンズ１０は、３ビーム状態のレーザ光線を平行光にした上で透過させるようになっている。
【００１１】
コリメータレンズ１０に対してレーザ光線の透過側の位置には、対物レンズ１１が配設されており、この対物レンズ１１は、コリメータレンズ１０を透過したレーザ光線を集光した上で透過させるようになっている。
【００１２】
対物レンズ１１に対してレーザ光線の透過側の位置には、光ディスク１２が配置されており、この光ディスク１２の記録面における所定の位置に、対物レンズ１１を透過したレーザ光線が照射されるようになっている。
【００１３】
光ディスク１２の記録面に照射されたレーザ光線は、反射レーザ光線として記録面で反射された後に、対物レンズ１１およびコリメータレンズ１０を経て分光光学系８の位置まで戻り、この分光光学系８において所定の角度（図４において９０°）で反射されるようになっている。
【００１４】
分光光学系８に対して反射レーザ光線の反射側の位置には、シリンドリカルレンズ１４が配設されており、このシリンドリカルレンズ１４は、反射レーザ光線を集光した上で透過させるようになっている。
【００１５】
シリンドリカルレンズ１４に対して反射レーザ光線の透過側の位置には、フォトディテクタ１５が配設されており、このフォトディテクタ１５に入射した反射レーザ光線が光電変換によって電気信号に変換される。これによって、光ディスク１２に対する情報の読取りまたは書込みが行われるようになっている。
【００１６】
このように、従来は、両面回折格子７を用いることによって、３ビームを発生させることができるようになっていた。
【００１７】
【特許文献１】特開２００２−２５０８０９号公報
【特許文献２】特開２００２−３１１２１９号公報
【特許文献３】特開２００３−６８９１号公報
【発明の開示】
【発明が解決しようとする課題】
【００１８】
ところで、２波長レーザ光源４を構成する各レーザ光源２，３は、各レーザ光線の発光点がレーザー光線の進行方向に直交する方向に１１０μｍ±１０μｍ程度ずれている。
【００１９】
これにより、従来は、両レーザ光源２，３から発光された両レーザ光線の光線軸を互いに一致させ、両レーザ光線の光線軸をともに対物レンズ１１などの光学系の光軸に一致させることができず、光ディスク１２に対する情報の読取りおよび書込みの双方を両立させることが難しいといった問題が生じていた。
【００２０】
より具体的には、通常は、より精密度が要求されるＤＶＤ用の短波長レーザ光線の光線軸を、対物レンズ１１等の光軸に一致させるようにしているため、逆に、ＣＤ、ＣＤ−Ｒ、ＣＤ−ＲＷ用の長波長レーザ光線には光線軸と光学系の光軸とのずれが発生することを余儀なくされていた。
【００２１】
この結果、長波長レーザ光線においては、光ディスク１２上で大きな収差が発生してしまい、ＣＤに記録された情報の読取りは可能であっても、ＣＤ−Ｒ、ＣＤ−ＲＷに対する情報の書込みが困難となっていた。
【００２２】
ここで、フォトディテクタ１５を複数個設けることによって、光軸とのずれが生じた長波長レーザ光線を捕捉する場合には、光軸とのずれが生じる場合においても、光ディスク１２に対する情報の読取りには対応することができる。
【００２３】
しかし、この場合においても、光線軸と光軸とのずれを解消することはできず、光ディスク１２に対する情報の書込みが困難であるといった問題を解決するには至らない。その上、フォトディテクタ１５の配設個数が多くなることによって、コスト的に不利となるといった別の新たな問題を生じさせてしまう。
【００２４】
また、特許文献１に示すような、２波長レーザの光線軸を一致させ、両レーザの光線軸を光学系の光軸に一致させるような光線軸調整を行う機能を備えた光学部材を、シリンドリカルレンズ１４とフォトディテクタ１５との間に配設する場合においても、光ディスク１２に対する情報の読取りに対応することは可能である。
【００２５】
しかし、この場合においても尚、光路における光ディスク１２の手前で光線軸と光軸とのずれを解消することにはならないので、やはり、光ディスク１２に対する情報の書込みが困難であるといった問題を解決することにはならない。
【００２６】
また、特許文献１の光学部材は、２波長レーザの光線軸を一致させる機能しか備えないため、３ビームを発生させるための光学部品を別途設けることが必要となる。
【００２７】
この結果、部品点数が多くなり、光ピックアップ装置の大型化を招く上に、各光学部品の位置合わせが煩雑となり、ひいては光ピックアップ装置の組み立て完成時における歩留まりが下がってしまうといった問題を生じさせてしまう。
【００２８】
さらに、光ディスク１２に対する情報の読取りおよび書込みを高精度に行うためには、３ビームの発生および光線軸調整を高精度に行うことが必要となり、そのためには、３ビームを発生させる光学部品および光線軸調整を行う光学部品をともに２波長レーザ光源の近傍に配置させることが望ましい。
【００２９】
しかしながら、従来のように、３ビームを発生させる光学部品と光線軸調整を行う光学部品とを個別に設ける場合には、必然的に光学部品を２波長レーザ光源の近傍に集約させることは困難となり、３ビームの発生および光線軸調整を高精度に行うことができなくなってしまう。
【００３０】
そこで、本発明は、このような問題に鑑みなされたものであり、光ピックアップ装置の歩留まりを悪くせずに、波長が異なる２種類のコヒーレント光線（例えば、２波長レーザ光線）の双方において、光ディスクに対する情報の読取りおよび書込みの双方を高精度に行うことができる小型でしかも安価な光学部品およびこれを備えた光ピックアップ装置を提供することを目的とするものである。
【課題を解決するための手段】
【００３１】
前述した目的を達成するため、本発明の請求項１に係る光学部品の特徴は、コヒーレント光線の入射側から順に、第１回折構造、第２回折構造、第３回折構造および第４回折構造からなる４つの回折構造を備え、これら４つの回折構造のうちの任意の２つの回折構造は、２段からなる段構造を有し、前記４つの回折構造のうちの他の２つの回折構造は、少なくとも３段からなる階段状の段構造を有するように形成され、進行方向に直交する方向に互いに所定の間隔を有するようにして進行する波長が異なる２種類のコヒーレント光線を、前記第１回折構造に入射させ、前記第２および第３回折構造を経て前記第４回折構造から出射させる際に、両コヒーレント光線からそれぞれ３ビームを発生させることが可能とされ、かつ、両コヒーレント光線の光線軸を一致させる光線軸調整を行うことが可能とされている点にある。
【００３２】
そして、この請求項１に係る発明によれば、前記第１乃至第４回折構造によって２波長コヒーレント光線からそれぞれ３ビームを適正に発生させることが可能となり、かつ、両コヒーレント光線の光線軸を一致させるように光線軸調整を行うことが可能となる。
【００３３】
また、光学部品が３ビームを発生させる機能と光線軸調整を行う機能とを併有したことによって、光学部品を２波長コヒーレント光源の近傍に配置することができ、これにより、コヒーレント光線の回折に用いられる回折構造の面積を小さくして３ビームの発生と光線軸調整とをさらに高精度に行うことが可能となる。
【００３４】
また、本発明の請求項２に係る光学部品の特徴は、請求項１において、さらに、前記第２回折構造と前記第３回折構造とが、２段からなる段構造を有するように形成され、前記第１回折構造と前記第４回折構造とが、少なくとも３段からなる階段状の段構造を有するとともに、これら第１回折構造および第４回折構造における各段構造に接する傾斜状の接線が、両回折構造の間で互いに平行となるように形成され、前記第１回折構造が、前記２種類のコヒーレント光線のうちの相対的に波長が短い一方のコヒーレント光線を回折させずにそのまま透過させ、かつ、相対的に波長が長い他方のコヒーレント光線を回折させるように形成され、前記第２回折構造が、前記一方のコヒーレント光線を回折させずにそのまま透過させ、かつ、前記第１回折構造における回折によって生じた前記他方のコヒーレント光線についての前記第１回折構造における+１次の回折光を回折させることにより、前記他方のコヒーレント光線側の３ビームを発生させるように形成され、前記第３回折構造が、前記一方のコヒーレント光線を回折させることにより、前記一方のコヒーレント光線側の３ビームを発生させ、かつ、前記他方のコヒーレント光線側の３ビームを回折させずにそのまま透過させるように形成され、前記第４回折構造が、前記一方のコヒーレント光線側の３ビームを回折させずにそのまま透過させ、かつ、前記他方のコヒーレント光線側の３ビームを回折させるように形成され、前記他方のコヒーレント光線側の３ビームのメインビームについての前記第４回折構造における+１次の回折光と、前記一方のコヒーレント光線側の３ビームのメインビームとの光線軸を一致させることが可能とされている点にある。
【００３５】
そして、この請求項２に係る発明によれば、さらに、前記第２回折構造によって前記他方のコヒーレント光線側の３ビームを適正に発生させることが可能となり、かつ、前記第３回折構造によって、前記一方のコヒーレント光線側の３ビームを適正に発生させることが可能となり、さらに、前記第１回折構造および前記第４回折構造によって、前記他方のコヒーレント光線側の３ビームのメインビームについての前記第４回折構造における＋１次の回折光と、前記一方のコヒーレント光線側の３ビームのメインビームとの光線軸を一致させることが可能となる。
【００３６】
さらに、本発明の請求項３に係る光学部品の特徴は、請求項１において、前記第２回折構造と前記第４回折構造とが、２段からなる段構造を有するように形成され、前記第１回折構造と前記第３回折構造とが、少なくとも３段からなる階段状の段構造を有するように形成され、前記第１回折構造が、前記２種類のコヒーレント光線のうちの相対的に波長が短い一方のコヒーレント光線を回折させずにそのまま透過させ、かつ、相対的に波長が長い他方のコヒーレント光線を回折させるように形成され、前記第２回折構造が、前記一方のコヒーレント光線を回折させずにそのまま透過させ、かつ、前記第１回折構造における回折によって生じた前記他方のコヒーレント光線についての前記第１回折構造における+１次の回折光を回折させることにより、前記他方のコヒーレント光線側の３ビームを発生させるように形成され、前記第３回折構造が、前記一方のコヒーレント光線を回折させずにそのまま透過させ、かつ、前記他方のコヒーレント光線側の３ビームを回折させるように形成され、前記第４回折構造が、前記一方のコヒーレント光線を回折させることにより、前記一方のコヒーレント光線側の３ビームを発生させ、かつ、前記他方のコヒーレント光線側の３ビームを回折させずにそのまま透過させるように形成され、前記他方のコヒーレント光線側の３ビームのメインビームについての前記第３回折構造における＋１次の回折光と、前記一方のコヒーレント光線側の３ビームのメインビームとの光線軸を一致させることが可能とされている点にある。
【００３７】
そして、この請求項３に係る発明によれば、さらに、前記第２回折構造によって前記他方のコヒーレント光線側の３ビームを適正に発生させることが可能となり、かつ、前記第４回折構造によって、前記一方のコヒーレント光線側の３ビームを適正に発生させることが可能となり、さらに、前記第１回折構造および前記第３回折構造によって、前記他方のコヒーレント光線側の３ビームのメインビームについての前記第３回折構造における＋１次の回折光と、前記一方のコヒーレント光線側の３ビームのメインビームとの光線軸を一致させることが可能となる。
【００３８】
さらにまた、本発明の請求項４に係る光学部品の特徴は、請求項１において、前記第１回折構造と前記第３回折構造とが、２段からなる段構造を有するように形成され、前記第２回折構造と前記第４回折構造とが、少なくとも３段からなる階段状の段構造を有するように形成され、前記第１回折構造が、前記２種類のコヒーレント光線のうちの相対的に波長が短い一方のコヒーレント光線を回折させずにそのまま透過させ、かつ、相対的に波長が長い他方のコヒーレント光線を回折させることにより、前記他方のコヒーレント光線側の３ビームを発生させるように形成され、前記第２回折構造が、前記一方のコヒーレント光線を回折させずにそのまま透過させ、かつ、前記他方のコヒーレント光線側の３ビームを回折させるように形成され、前記第３回折構造が、前記一方のコヒーレント光線を回折させることにより、前記一方のコヒーレント光線側の３ビームを発生させ、かつ、前記他方のコヒーレント光線側の３ビームを回折させずにそのまま透過させるように形成され、前記第４回折構造が、前記一方のコヒーレント光線側の３ビームを回折させずにそのまま透過させ、かつ、前記他方のコヒーレント光線側の３ビームを回折させるように形成され、前記他方のコヒーレント光線側の３ビームのメインビームについての前記第４回折構造における+１次の回折光と、前記一方のコヒーレント光線側の３ビームのメインビームとの光線軸を一致させることが可能とされている点にある。
【００３９】
そして、この請求項４に係る発明によれば、さらに、前記第１回折構造によって前記他方のコヒーレント光線側の３ビームを適正に発生させることが可能となり、かつ、前記第３回折構造によって、前記一方のコヒーレント光線側の３ビームを適正に発生させることが可能となり、さらに、前記第２回折構造および前記第４回折構造によって、前記他方のコヒーレント光線側の３ビームのメインビームについての前記第４回折構造における＋１次の回折光と、前記一方のコヒーレント光線側の３ビームのメインビームとの光線軸を一致させることが可能となる。
【００４０】
また、本発明の請求項５に係る光学部品の特徴は、請求項１において、前記第１回折構造と前記第４回折構造とが、２段からなる段構造を有するように形成され、前記第２回折構造と前記第３回折構造とが、少なくとも３段からなる階段状の段構造を有するとともに、これら第２回折構造および第３回折構造における各段構造に接する傾斜状の接線が、両回折構造の間で互いに平行となるように形成され、前記第１回折構造が、前記２種類のコヒーレント光線のうちの相対的に波長が短い一方のコヒーレント光線を回折させずにそのまま透過させ、かつ、相対的に波長が長い他方のコヒーレント光線を回折させることにより、前記他方のコヒーレント光線側の３ビームを発生させるように形成され、前記第２回折構造が、前記一方のコヒーレント光線を回折させずにそのまま透過させ、かつ、前記他方のコヒーレント光線側の３ビームを回折させるように形成され、前記第３回折構造が、前記一方のコヒーレント光線を回折させずにそのまま透過させ、かつ、前記他方のコヒーレント光線側の３ビームを回折させるように形成され、前記第４回折構造が、前記一方のコヒーレント光線を回折させることにより、前記一方のコヒーレント光線側の３ビームを発生させ、かつ、前記他方のコヒーレント光線側の３ビームを回折させずにそのまま透過させるように形成され、前記他方のコヒーレント光線側の３ビームのメインビームについての前記第３回折構造における＋１次の回折光と、前記一方のコヒーレント光線側の３ビームのメインビームとの光線軸を一致させることが可能とされている点にある。
【００４１】
そして、この請求項５に係る発明によれば、さらに、前記第１回折構造によって前記他方のコヒーレント光線側の３ビームを適正に発生させることが可能となり、かつ、前記第４回折構造によって、前記一方のコヒーレント光線側の３ビームを適正に発生させることが可能となり、さらに、前記第２回折構造および前記第３回折構造によって、前記他方のコヒーレント光線側の３ビームのメインビームについての前記第３回折構造における＋１次の回折光と、前記一方のコヒーレント光線側の３ビームのメインビームとの光線軸を一致させることが可能となる。
【００４２】
さらに、本発明の請求項６に係る光学部品の特徴は、請求項１乃至請求項５のいずれか１項において、前記第１回折構造および前記第２回折構造が、第１基材における入射側の光学機能面および出射側の光学機能面にそれぞれ形成され、前記第３回折構造および前記第４回折構造が、第２基材における入射側の光学機能面および出射側の光学機能面にそれぞれ形成され、前記第１基材と前記第２基材とが互いに固定されている点にある。
【００４３】
そして、この請求項６に係る発明によれば、さらに、第１乃至第４回折構造をより簡易な構成によって一体的に形成することが可能となる。
【００４４】
さらにまた、本発明の請求項７に係る光学部品の特徴は、請求項６において、前記第１基材および前記第２基材における互いの固定部位に、係合部が形成されている点にある。
【００４５】
そして、この請求項７に係る発明によれば、さらに、第１乃至第４回折構造をより適切な位置に配置することが可能となる。
【００４６】
また、本発明の請求項８に係る光ピックアップ装置の特徴は、進行方向に直交する方向に互いに所定の間隔を有するようにして進行する波長が異なる２種類のコヒーレント光線を発生させる２波長コヒーレント光源を有し、当該２波長コヒーレント光源から発生した各コヒーレント光線を、各コヒーレント光線に対応する光ディスクに対物レンズを介して照射することによって、光ディスクに対する情報の読取りおよび書込みが可能とされた光ピックアップ装置において、前記２波長コヒーレント光源側から順に、第１回折構造、第２回折構造、第３回折構造および第４回折構造からなる４つの回折構造を備え、これら４つの回折構造のうちの任意の２つの回折構造は、２段からなる段構造を有し、前記４つの回折構造のうちの他の２つの回折構造は、少なくとも３段からなる階段状の段構造を有するように形成され、前記波長が異なる２種類のレーザ光線を、前記第１回折構造に入射させ、前記第２および第３回折構造を経て前記第４回折構造から出射させる際に、両コヒーレント光線からそれぞれ３ビームを発生させることが可能とされ、かつ、両コヒーレント光線の光線軸が前記光ピックアップ装置内の光学系の光軸に一致するように光線軸調整を行うことが可能とされている光学部品を、前記２波長コヒーレント光源と前記対物レンズとの間に備えた点にある。
【００４７】
そして、この請求項８に係る発明によれば、前記第１乃至第４回折構造によって２波長コヒーレント光線からそれぞれ３ビームを適正に発生させることが可能となり、かつ、両コヒーレント光線の光線軸が光学系の光軸に一致するように光線軸調整を行うことが可能となる。
【００４８】
また、光学部品を２波長コヒーレント光源と対物レンズとの間に配置したことによって、コヒーレント光線の回折に用いられる回折構造の面積を小さくして３ビームの発生と光線軸調整とをさらに高精度に行うことが可能となる。
【００４９】
さらに、本発明の請求項９に係る光ピックアップ装置の特徴は、請求項８において、前記光学部品は、前記第２回折構造と前記第３回折構造とが、２段からなる段構造を有するように形成され、前記第１回折構造と前記第４回折構造とが、少なくとも３段からなる階段状の段構造を有するとともに、これら第１回折構造および第４回折構造における各段構造に接する傾斜状の接線が、両回折構造の間で互いに平行となるように形成され、前記第１回折構造が、前記２種類のコヒーレント光線のうちの相対的に波長が短い一方のコヒーレント光線を回折させずにそのまま透過させ、かつ、相対的に波長が長い他方のコヒーレント光線を回折させるように形成され、前記第２回折構造が、前記一方のコヒーレント光線を回折させずにそのまま透過させ、かつ、前記第１回折構造における回折によって生じた前記他方のコヒーレント光線についての前記第１回折構造における+１次の回折光を回折させることにより、前記他方のコヒーレント光線側の３ビームを発生させるように形成され、前記第３回折構造が、前記一方のコヒーレント光線を回折させることにより、前記一方のコヒーレント光線側の３ビームを発生させ、かつ、前記他方のコヒーレント光線側の３ビームを回折させずにそのまま透過させるように形成され、前記第４回折構造が、前記一方のコヒーレント光線側の３ビームを回折させずにそのまま透過させ、かつ、前記他方のコヒーレント光線側の３ビームを回折させるように形成され、前記他方のコヒーレント光線側の３ビームのメインビームについての前記第４回折構造における+１次の回折光と、前記一方のコヒーレント光線側の３ビームのメインビームとの光線軸を、前記光学系の光軸に一致させることが可能とされている点にある。
【００５０】
そして、この請求項９に係る発明によれば、さらに、前記第２回折構造によって前記他方のコヒーレント光線側の３ビームを適正に発生させることが可能となり、かつ、前記第３回折構造によって、前記一方のコヒーレント光線側の３ビームを適正に発生させることが可能となり、さらに、前記第１回折構造および前記第４回折構造によって、前記他方のコヒーレント光線側の３ビームのメインビームについての前記第４回折構造における＋１次の回折光と、前記一方のコヒーレント光線側の３ビームのメインビームとの光線軸を、光学系の光軸に一致させることが可能となる。
【００５１】
さらにまた、本発明の請求項１０に係る光ピックアップ装置の特徴は、請求項８において、前記光学部品は、前記第２回折構造と前記第４回折構造とが、２段からなる段構造を有するように形成され、前記第１回折構造と前記第３回折構造とが、少なくとも３段からなる階段状の段構造を有するように形成され、前記第１回折構造が、前記２種類のコヒーレント光線のうちの相対的に波長が短い一方のコヒーレント光線を回折させずにそのまま透過させ、かつ、相対的に波長が長い他方のコヒーレント光線を回折させるように形成され、前記第２回折構造が、前記一方のコヒーレント光線を回折させずにそのまま透過させ、かつ、前記第１回折構造における回折によって生じた前記他方のコヒーレント光線についての前記第１回折構造における+１次の回折光を回折させることにより、前記他方のコヒーレント光線側の３ビームを発生させるように形成され、前記第３回折構造が、前記一方のコヒーレント光線を回折させずにそのまま透過させ、かつ、前記他方のコヒーレント光線側の３ビームを回折させるように形成され、前記第４回折構造が、前記一方のコヒーレント光線を回折させることにより、前記一方のコヒーレント光線側の３ビームを発生させ、かつ、前記他方のコヒーレント光線側の３ビームを回折させずにそのまま透過させるように形成され、前記他方のコヒーレント光線側の３ビームのメインビームについての前記第３回折構造における＋１次の回折光と、前記一方のコヒーレント光線側の３ビームのメインビームとの光線軸を、前記光学系の光軸に一致させることが可能とされている点にある。
【００５２】
そして、この請求項１０に係る発明によれば、さらに、前記第２回折構造によって前記他方のコヒーレント光線側の３ビームを適正に発生させることが可能となり、かつ、前記第４回折構造によって、前記一方のコヒーレント光線側の３ビームを適正に発生させることが可能となり、さらに、前記第１回折構造および前記第３回折構造によって、前記他方のコヒーレント光線側の３ビームのメインビームについての前記第３回折構造における＋１次の回折光と、前記一方のコヒーレント光線側の３ビームのメインビームとの光線軸を、光学系の光軸に一致させることが可能となる。
【００５３】
また、本発明の請求項１１に係る光ピックアップ装置の特徴は、請求項８において、前記光学部品は、前記第１回折構造と前記第３回折構造とが、２段からなる段構造を有するように形成され、前記第２回折構造と前記第４回折構造とが、少なくとも３段からなる階段状の段構造を有するように形成され、前記第１回折構造が、前記２種類のコヒーレント光線のうちの相対的に波長が短い一方のコヒーレント光線を回折させずにそのまま透過させ、かつ、相対的に波長が長い他方のコヒーレント光線を回折させることにより、前記他方のコヒーレント光線側の３ビームを発生させるように形成され、前記第２回折構造が、前記一方のコヒーレント光線を回折させずにそのまま透過させ、かつ、前記他方のコヒーレント光線側の３ビームを回折させるように形成され、前記第３回折構造が、前記一方のコヒーレント光線を回折させることにより、前記一方のコヒーレント光線側の３ビームを発生させ、かつ、前記他方のコヒーレント光線側の３ビームを回折させずにそのまま透過させるように形成され、前記第４回折構造が、前記一方のコヒーレント光線側の３ビームを回折させずにそのまま透過させ、かつ、前記他方のコヒーレント光線側の３ビームを回折させるように形成され、前記他方のコヒーレント光線側の３ビームのメインビームについての前記第４回折構造における+１次の回折光と、前記一方のコヒーレント光線側の３ビームのメインビームとの光線軸を、前記光学系の光軸に一致させることが可能とされている点にある。
【００５４】
そして、この請求項１１に係る発明によれば、さらに、前記第１回折構造によって前記他方のコヒーレント光線側の３ビームを適正に発生させることが可能となり、かつ、前記第３回折構造によって、前記一方のコヒーレント光線側の３ビームを適正に発生させることが可能となり、さらに、前記第２回折構造および前記第４回折構造によって、前記他方のコヒーレント光線側の３ビームのメインビームについての前記第４回折構造における＋１次の回折光と、前記一方のコヒーレント光線側の３ビームのメインビームとの光線軸を、光学系の光軸に一致させることが可能となる。
【００５５】
さらに、本発明の請求項１２に係る光ピックアップ装置の特徴は、請求項８において、前記光学部品は、前記第１回折構造と前記第４回折構造とが、２段からなる段構造を有するように形成され、前記第２回折構造と前記第３回折構造とが、少なくとも３段からなる階段状の段構造を有するとともに、これら第２回折構造および第３回折構造における各段構造に接する傾斜状の接線が、両回折構造の間で互いに平行となるように形成され、前記第１回折構造が、前記２種類のコヒーレント光線のうちの相対的に波長が短い一方のコヒーレント光線を回折させずにそのまま透過させ、かつ、相対的に波長が長い他方のコヒーレント光線を回折させることにより、前記他方のコヒーレント光線側の３ビームを発生させるように形成され、前記第２回折構造が、前記一方のコヒーレント光線を回折させずにそのまま透過させ、かつ、前記他方のコヒーレント光線側の３ビームを回折させるように形成され、前記第３回折構造が、前記一方のコヒーレント光線を回折させずにそのまま透過させ、かつ、前記他方のコヒーレント光線側の３ビームを回折させるように形成され、前記第４回折構造が、前記一方のコヒーレント光線を回折させることにより、前記一方のコヒーレント光線側の３ビームを発生させ、かつ、前記他方のコヒーレント光線側の３ビームを回折させずにそのまま透過させるように形成され、前記他方のコヒーレント光線側の３ビームのメインビームについての前記第３回折構造における＋１次の回折光と、前記一方のコヒーレント光線側の３ビームのメインビームとの光線軸を、前記光学系の光軸に一致させることが可能とされている点にある。
【００５６】
そして、この請求項１２に係る発明によれば、さらに、前記第１回折構造によって前記他方のコヒーレント光線側の３ビームを適正に発生させることが可能となり、かつ、前記第４回折構造によって、前記一方のコヒーレント光線側の３ビームを適正に発生させることが可能となり、さらに、前記第２回折構造および前記第３回折構造によって、前記他方のコヒーレント光線側の３ビームのメインビームについての前記第３回折構造における＋１次の回折光と、前記一方のコヒーレント光線側の３ビームのメインビームとの光線軸を、光学系の光軸に一致させることが可能となる。
【００５７】
さらにまた、本発明の請求項１３に係る光ピックアップ装置の特徴は、請求項８乃至請求項１２のいずれか１項において、前記第１回折構造および前記第２回折構造が、第１基材における入射側の光学機能面および出射側の光学機能面にそれぞれ形成され、前記第３回折構造および前記第４回折構造が、第２基材における入射側の光学機能面および出射側の光学機能面にそれぞれ形成され、前記第１基材と前記第２基材とが互いに固定されていることによって、前記光学部品が形成されている点にある。
【００５８】
そして、この請求項１３に係る発明によれば、さらに、光学部品をより簡易な構成によって一体的に形成することが可能となる。
【００５９】
また、本発明の請求項１４に係る光ピックアップ装置の特徴は、請求項１３において、前記光学部品の前記第１基材および前記第２基材における互いの固定部位に、係合部が形成されている点にある。
【００６０】
そして、この請求項１４に係る発明によれば、さらに、第１乃至第４回折構造をより適切な位置に配置することが可能となる。
【発明の効果】
【００６１】
請求項１に係る光学部品によれば、前記第１乃至第４回折構造によって２波長コヒーレント光線からそれぞれ３ビームを適正に発生させることができ、かつ、両コヒーレント光線の光線軸を一致させる光線軸調整を行うことができ、さらに、光学部品が３ビームを発生させる機能と光線軸調整を行う機能とを併有することによって３ビームの発生と光線軸調整とをさらに高精度に行うことができる結果、光ピックアップ装置の歩留まりを悪くせずに、２波長コヒーレント光線の双方において、光ディスクに対する情報の読取りおよび書込みの双方を高精度に行うことができる小型の光学部品を安価に実現することができる。
【００６２】
また、請求項２に係る光学部品によれば、さらに、さらに、前記第２回折構造によって前記他方のコヒーレント光線側の３ビームを適正に発生させることができ、かつ、前記第３回折構造によって、前記一方のコヒーレント光線側の３ビームを適正に発生させることができ、さらに、前記第１回折構造および前記第４回折構造によって、前記他方のコヒーレント光線側の３ビームのメインビームについての前記第４回折構造における＋１次の回折光と、前記一方のコヒーレント光線側の３ビームのメインビームとの光線軸を一致させることができる結果、請求項１に係る光学部品の効果に加えて、さらに、２波長コヒーレント光線の双方において、光ディスクに対する情報の読取りおよび書込みにさらに有効に対応することができる光学部品を実現することができる。
【００６３】
さらに、請求項３に係る光学部品によれば、さらに、前記第２回折構造によって前記他方のコヒーレント光線側の３ビームを適正に発生させることができ、かつ、前記第４回折構造によって、前記一方のコヒーレント光線側の３ビームを適正に発生させることができ、さらに、前記第１回折構造および前記第３回折構造によって、前記他方のコヒーレント光線側の３ビームのメインビームについての前記第３回折構造における＋１次の回折光と、前記一方のコヒーレント光線側の３ビームのメインビームとの光線軸を一致させることができる結果、請求項１に係る光学部品の効果に加えて、さらに、２波長コヒーレント光線の双方において、光ディスクに対する情報の読取りおよび書込みにさらに有効に対応することができる光学部品を実現することができる。
【００６４】
さらにまた、請求項４に係る光学部品によれば、さらに、前記第１回折構造によって前記他方のコヒーレント光線側の３ビームを適正に発生させることができ、かつ、前記第３回折構造によって、前記一方のコヒーレント光線側の３ビームを適正に発生させることができ、さらに、前記第２回折構造および前記第４回折構造によって、前記他方のコヒーレント光線側の３ビームのメインビームについての前記第４回折構造における＋１次の回折光と、前記一方のコヒーレント光線側の３ビームのメインビームとの光線軸を一致させることができる結果、請求項１に係る光学部品の効果に加えて、さらに、２波長コヒーレント光線の双方において、光ディスクに対する情報の読取りおよび書込みにさらに有効に対応することができる光学部品を実現することができる。
【００６５】
また、請求項５に係る光学部品によれば、さらに、前記第１回折構造によって前記他方のコヒーレント光線側の３ビームを適正に発生させることができ、かつ、前記第４回折構造によって、前記一方のコヒーレント光線側の３ビームを適正に発生させることができ、さらに、前記第２回折構造および前記第３回折構造によって、前記他方のコヒーレント光線側の３ビームのメインビームについての前記第３回折構造における＋１次の回折光と、前記一方のコヒーレント光線側の３ビームのメインビームとの光線軸を一致させることができる結果、請求項１に係る光学部品の効果に加えて、さらに、２波長コヒーレント光線の双方において、光ディスクに対する情報の読取りおよび書込みにさらに有効に対応することができる光学部品を実現することができる。
【００６６】
さらに、請求項６に係る光学部品によれば、さらに、第１乃至第４回折構造をより簡易な構成によって一体的に形成することができる結果、請求項１乃至請求項５に係る光学部品の効果に加えて、２波長コヒーレント光線の双方において、光ディスクに対する情報の読取りおよび書込みに有効に対応することができる光学部品をさらに安価に実現することができる。
【００６７】
さらにまた、請求項７に係る光学部品によれば、さらに、第１乃至第４回折構造をより適切な位置に配置することができる結果、請求項６に係る光学部品の効果に加えて、２波長レーザ光線の双方において、光ディスクに対する情報の読取りおよび書込みにさらに有効に対応することができる光学部品を安価に実現することができる。
【００６８】
また、請求項８に係る光ピックアップ装置によれば、前記第１乃至第４回折構造によって２波長コヒーレント光線からそれぞれ３ビームを適正に発生させることが可能となり、かつ、両コヒーレント光線の光線軸が光学系の光軸上を通るように光線軸調整を行うことができ、また、光学部品を２波長コヒーレント光源と対物レンズとの間に配置して３ビームの発生と光線軸調整とをさらに高精度に行うことができる結果、歩留まりを悪くせずに、２波長コヒーレント光線の双方において光ディスクに対する情報の読取りおよび書込みの双方を高精度に行うことができる小型の光ピックアップ装置を安価に実現することができる。
【００６９】
さらに、請求項９に係る光ピックアップ装置によれば、さらに、さらに、前記第２回折構造によって前記他方のコヒーレント光線側の３ビームを適正に発生させることができ、かつ、前記第３回折構造によって、前記一方のコヒーレント光線側の３ビームを適正に発生させることができ、さらに、前記第１回折構造および前記第４回折構造によって、前記他方のコヒーレント光線側の３ビームのメインビームについての前記第４回折構造における＋１次の回折光と、前記一方のコヒーレント光線側の３ビームのメインビームとの光線軸を、光学系の光軸に一致させることができる結果、請求項８に係る光ピックアップ装置の効果に加えて、さらに、２波長コヒーレント光線の双方において、光ディスクに対する情報の読取りおよび書込みにさらに有効に対応することができる光ピックアップ装置を実現することができる。
【００７０】
さらにまた、請求項１０に係る光ピックアップ装置によれば、さらに、前記第２回折構造によって前記他方のコヒーレント光線側の３ビームを適正に発生させることができ、かつ、前記第４回折構造によって、前記一方のコヒーレント光線側の３ビームを適正に発生させることができ、さらに、前記第１回折構造および前記第３回折構造によって、前記他方のコヒーレント光線側の３ビームのメインビームについての前記第３回折構造における＋１次の回折光と、前記一方のコヒーレント光線側の３ビームのメインビームとの光線軸を、光学系の光軸に一致させることができる結果、請求項８に係る光ピックアップ装置の効果に加えて、さらに、２波長コヒーレント光線の双方において、光ディスクに対する情報の読取りおよび書込みにさらに有効に対応することができる光ピックアップ装置を実現することができる。
【００７１】
また、請求項１１に係る光ピックアップ装置によれば、さらに、さらに、前記第１回折構造によって前記他方のコヒーレント光線側の３ビームを適正に発生させることができ、かつ、前記第３回折構造によって、前記一方のコヒーレント光線側の３ビームを適正に発生させることができ、さらに、前記第２回折構造および前記第４回折構造によって、前記他方のコヒーレント光線側の３ビームのメインビームについての前記第４回折構造における＋１次の回折光と、前記一方のコヒーレント光線側の３ビームのメインビームとの光線軸を、光学系の光軸に一致させることができる結果、請求項８に係る光ピックアップ装置の効果に加えて、さらに、２波長コヒーレント光線の双方において、光ディスクに対する情報の読取りおよび書込みにさらに有効に対応することができる光ピックアップ装置を実現することができる。
【００７２】
さらに、請求項１２に係る光ピックアップ装置によれば、さらに、前記第１回折構造によって前記他方のコヒーレント光線側の３ビームを適正に発生させることができ、かつ、前記第４回折構造によって、前記一方のコヒーレント光線側の３ビームを適正に発生させることができ、さらに、前記第２回折構造および前記第３回折構造によって、前記他方のコヒーレント光線側の３ビームのメインビームについての前記第３回折構造における＋１次の回折光と、前記一方のコヒーレント光線側の３ビームのメインビームとの光線軸を、光学系の光軸に一致させることができる結果、請求項８に係る光ピックアップ装置の効果に加えて、さらに、２波長コヒーレント光線の双方において、光ディスクに対する情報の読取りおよび書込みにさらに有効に対応することができる光ピックアップ装置を実現することができる。
【００７３】
さらにまた、請求項１３に係る光ピックアップ装置によれば、さらに、光学部品をより簡易な構成によって一体的に形成することができる結果、請求項８乃至請求項１２に係る光学部品の効果に加えて、さらに、２波長コヒーレント光線の双方において、光ディスクに対する情報の読取りおよび書込みに有効に対応することができる光ピックアップ装置をさらに安価に実現することができる。
【００７４】
また、請求項１４に係る光ピックアップ装置によれば、さらに、第１乃至第４回折構造をより適切な位置に配置することができる結果、請求項１３に係る光ピックアップ装置の効果に加えて、さらに、２波長コヒーレント光線の双方において、光ディスクに対する情報の読取りおよび書込みにさらに有効に対応することができる光ピックアップ装置を安価に実現することができる。
【発明を実施するための最良の形態】
【００７５】
以下、本発明に係る光学部品およびこれを備えた光ピックアップ装置の第１実施形態について、図１乃至図３を参照して説明する。
【００７６】
なお、以下に示す図３中において、図７に示した従来の光ピックアップ装置１と基本的構成の同一もしくはこれに類する箇所については、同一の符号を用いて説明する。
【００７７】
図１に示すように、本実施形態における光学部品２０は、縦断面略Ｈ形状の第１基材２１と第３基材２１とを有している。
【００７８】
第１基材２１は、入射側および出射側の光学機能面Ｓ１，Ｓ２を備えた所定の厚みを有する円板状の第１光学機能部２１ａを有しており、この第１光学機能部２１ａは、コヒーレント光線の一例としてのレーザ光線を透過することができるように樹脂材料又はガラス等の光透過性材料によって形成されている。
【００７９】
また、第１基材２１は、第１光学機能部２１ａの外周に、第１筒状体２４を有している。この第１筒状体２４は、第１光学機能部２１ａと同一の材料によって一体成形されていることが好ましい。
【００８０】
一方、第２基材２２は、入射側および出射側の光学機能面Ｓ３，Ｓ４を備えた所定の厚みを有する円板状の第２光学機能部２２ａを有しており、この第２光学機能部２２ａも、第１光学機能部２１ａと同様に、レーザ光線を透過することができるように樹脂材料等の光透過性材料によって形成されている。
【００８１】
また、第２基材２２は、第２光学機能部２２ａの外周に、第２筒状体２５を有している。この第２筒状体２５は、第２光学機能部２２ａと同一の材料によって一体成形されていることが好ましい。
【００８２】
さらに、第１筒状体２４および第２筒状体２５における固定部位としての互いに対向する端面には、互いに位置決めされた状態で当接されるように、係合部２４ａ，２５ａがそれぞれ形成されている。
【００８３】
そして、これらの係合部２４ａ，２５ａを介して第１筒状体２４と第２筒状体２５とが互いに係合されるとともに、係合部２４ａ，２５ａに配置された図示しない接着材等によって、第１基材２１と第２基材２２とが互いに固定されている。
【００８４】
これによって、第１光学機能部２１ａと第２光学機能部２２ａとが、厚み方向に所定の間隔を設けるようにして互いに平行な状態に保持されている。
【００８５】
図２に示すように、第１光学機能部２１ａにおける入射側の光学機能面Ｓ１には、第１回折構造としての第１回折格子２６が形成されている。
【００８６】
また、第１光学機能部２１ａにおける出射側の光学機能面Ｓ２には、第２回折構造としての第２回折格子２７が形成されている。
【００８７】
一方、第２光学機能部２２ａにおける入射側の光学機能面Ｓ３には、第３回折構造としての第３回折格子２８が形成されている。
【００８８】
また、第2光学機能部２２ａにおける出射側の光学機能面Ｓ4には、第4回折構造としての第4回折格子２9が形成されている。
【００８９】
これら第１乃至第４回折格子２６，２７，２８，２９の４つの回折構造のうち、第１回折格子２６と第４回折格子２９とは、それぞれ対応する光学機能面Ｓ１，Ｓ４ に、図２に示すように、各光学機能面Ｓ１ ，Ｓ４ （最下段）を含めて６段からなる段構造３１，３４が互いに同一の方向に沿って複数個整列されることによって形成されている。
【００９０】
なお、これに限らず、第１回折格子２６の段構造３１と、第４回折格子２９の段構造３４とは、少なくとも３段であればよい。また、両段構造３１，３４の段数は、図２に示したように互いに同一である必要はなく、３段以上の段数であれば、例えば、一方の段構造が４段、他方が６段となっていてもよい。
【００９１】
また、本実施形態において、第１回折格子２６と第４回折格子２９とは、各段構造３１，３４に接する傾斜状の接線Ｌ１ ，Ｌ４ が、双方の間で互いに平行とされている。
【００９２】
さらに、前記４つの回折構造２６，２７，２８，２９のうち、第２回折格子２７と第３回折格子２８とは、それぞれ対応する光学機能面Ｓ２ ，Ｓ３ に、当該光学機能面Ｓ２ ，Ｓ３を含めて２段からなる段構造３２，３３が所定の方向に沿って複数個整列されることによって形成されている。
【００９３】
なお、第２回折格子２７における段構造３２の整列方向と、第３回折格子２８における段構造３３の整列方向とは、互いに平行であってもよいし、光学機能部２１ａ，２２ａの中心軸を支点とした回転方向に所定の角度だけずれていてもよい。
【００９４】
そして、図１に示すように、進行方向に直交する方向、すなわち段構造３１，３４の整列方向に互いに所定の間隔を有するようにして進行する波長が異なる２種類のレーザ光線を発光する２波長レーザ光源４により、短波長レーザ光線および長波長レーザ光線を第１回折格子２６に垂直に入射させると、各レーザ光線は、第２および第３回折格子２７，２８を経て第４回折格子２９から出射するようになっている。
【００９５】
その際に、各レーザ光線からは、長波長レーザ光線側の３ビーム、短波長レーザ光線側の３ビームがそれぞれ発生するようになっている。
【００９６】
また、同時に、両レーザ光線の光線軸が互いに一致するように光線軸調整が行われるようになっている。
【００９７】
すなわち、本実施形態においては、第１乃至第４回折格子２６，２７，２８，２９によって、２波長レーザ光線のそれぞれから３ビームを適正に発生させることが可能となり、同時に、両レーザ光線が同一の光軸上を通るように光軸調整を行うことが可能となる。
【００９８】
より具体的には、本実施形態において、第１回折格子２６は、短波長レーザ光線については回折させずにそのまま透過させ、一方、長波長レーザ光線については回折させるように形成されている。
【００９９】
第１回折格子２６は、長波長レーザ光線を、ほぼ７０〜８０％の割合で＋１次の回折光として回折させるように回折効率が設定されている。
【０１００】
また、第２回折格子２７は、短波長レーザ光線については回折させずにそのまま透過させ、一方、第１回折格子２６における回折によって生じた長波長レーザ光線についての第１回折格子２６における+１次の回折光を回折させることによって、３ビーム（以下、「長波長側３ビーム」と称する）を発生させるように形成されている。
【０１０１】
ここで、図２に示すように、長波長側３ビームは、長波長レーザ光線の第１回折格子２６における+１次の回折光についての第２回折格子における０次の回折光（０次光）であるメインビームＢＭと、長波長レーザ光線の第１回折格子２６における+１次の回折光についての第２回折格子における±１次の回折光であるサブビームＢＳとにより構成されている。
【０１０２】
さらに、第３回折格子２８は、短波長レーザ光線を回折させることによって、３ビーム（以下、「短波長側３ビーム」と称する）を発生させ、一方、長波長側３ビームについては回折させずにそのまま透過させるように形成されている。
【０１０３】
ここで、図２に示すように、短波長側３ビームは、短波長レーザ光線の第３回折格子２８における０次の回折光（０次光）であるメインビームＢ’Ｍと、短波長レーザ光線の第３回折格子２８における±１次の回折光であるサブビームＢ’Ｓとにより構成されている。
【０１０４】
さらにまた、第４回折格子２９は、短波長側３ビームについては回折させずにそのまま透過させ、一方、長波長側３ビームについては回折させるように形成されている。
【０１０５】
これにより、図２に示すように、長波長側３ビームのメインビームＢＭ についての第４回折格子２９における＋１次の回折光と、短波長側３ビームのメインビームＢ’Ｍとの光線軸が互いに一致するように光線軸調整が行われるようになっている。
【０１０６】
このように、本実施形態においては、第２回折格子２７によって長波長側３ビームを適正に発生させることが可能となるとともに、第３回折格子２８によって短波長側３ビームを適正に発生させることが可能となる。
【０１０７】
また、第１ならびに第４回折格子２６，２９によって、長波長レーザ光線と短波長レーザ光線との光線軸調整を適正に行うことが可能となる。
【０１０８】
さらに、光学部品２０が３ビームを発生させる機能と光線軸調整を行う機能とを併有したことによって、両機能を２波長レーザ光源４の近傍に集約させることができる。これにより、レーザ光線の回折に用いる回折構造の面積を小さくすることができ、この結果、３ビームを所望の方向に向かってより高精度に発生させることが可能となるとともに、光線軸調整をさらに高精度に行うことが可能となる。
【０１０９】
さらにまた、係合部２４ａ，２５ａを用いて第１基材２１と第２基材２２とが互いに固定されていることにより、第１乃至第４回折格子２６，２７，２８，２９がそれぞれ適切な位置に配置されているため、長波長側ならびに短波長側３ビームの発生と、光線軸調整とをさらに高精度に行うことが可能となる。
【０１１０】
なお、図２に示す各回折格子２６，２７，２８，２９における段構造３１，３２，３３，３４のピッチ（ｐ１ 、ｐ２ 、ｐ３ 、ｐ４ ）、段差（ｔ１ 、ｔ２、ｔ３ 、ｔ４ ）、デューティ比（ｗ１ ／ｐ１ 、ｗ２ ／ｐ２ ’、ｗ３ ／ｐ３ 、ｗ４ ／ｐ４ ）、両光学機能部２１ａ，２２ａ間の距離ｄおよび各光学機能部２１ａ，２２ａの屈折率（ｎ１ ，ｎ２ ）については、コンセプトに応じて所望の値を選択することができる。
【０１１１】
例えば、ｐ１ ＝３０μｍ、ｐ２ ＝１８．３μｍ、ｐ３ ＝１８．５μｍ、ｐ４ ＝３０μｍ、ｔ１ ＝ｔ２ ＝ｔ４ ＝１．２２１μｍ、ｔ３ ＝１．４６４μｍ、ｄ＝６ｍｍ、波長６５６．３ｎｍにおいてｎ１ ＝ｎ２ ＝１．５４０６、波長７８６．５ｎｍにおいてｎ１ ＝ｎ２ ＝１．５３７１とした場合においても、２波長レーザ光線から３ビームを適正に発生させることができるとともに、光線軸調整を高精度に行うことができる。
【０１１２】
次に、図３に示すように、上記の光学部品２０を備えた本実施形態における光ピックアップ装置３６は、２波長レーザ光源４を有しており、この２波長レーザ光源４からは、光ディスク１２に応じて短波長レーザまたは長波長レーザが選択的に出射されるようになっている。なお、２波長レーザ光源４における各レーザ光源２，３の並列方向は、光線軸調整に寄与する第１回折格子２６における段構造３１および第４回折格子における段構造３４の整列方向と互いに平行となっている。
【０１１３】
２波長レーザ光源４に対してレーザ光線の出射側の近傍位置には、光学部品２０が、その第１回折格子２６を向けた状態で配設されており、この光学部品２０によって、短波長レーザ光線および長波長レーザ光線における３ビームの発生と光線軸調整とを行うようになっている。
【０１１４】
さらに、前記のように、２波長レーザ光源４の近傍に光学部品２０が配設されていることによって、レーザ光線の回折に用いられる回折構造の面積を小さくすることが可能となる。
【０１１５】
この結果、光学部品２０において、両レーザ光線から３ビームをさらに高精度に発生させることができるとともに、光線軸調整をより高精度に行うことができる。
【０１１６】
光学部品２０に対してレーザ光線の出射側の位置には、ダイクロイックプリズムやダイクロイックミラー等からなる分光光学系８が配設されており、この分光光学系８は、光学部品２０から出射された３ビーム状態の短波長または長波長レーザ光線を透過させるようになっている。
【０１１７】
分光光学系８に対してレーザ光線の透過側の位置には、コリメータレンズ１０が、その光軸を、短波長側３ビームのメインビームと、長波長側３ビームのメインビームについての第４回折格子２９における＋１次の回折光との光線軸に一致させるようにして配設されている。このコリメータレンズ１０は、分光光学系８を透過した短波長または長波長レーザ光線を、屈折作用によって平行光にした上で透過させるようになっている。
【０１１８】
コリメータレンズ１０に対してレーザ光線の透過側の位置には、対物レンズ１１が、その光軸を、短波長側３ビームのメインビームと、長波長側３ビームのメインビームについての第４回折格子２９における＋１次の回折光との光線軸に一致させるようにして配設されている。この対物レンズ１１は、コリメータレンズ１０を透過したレーザ光線を集光させた上で透過させるようになっている。
【０１１９】
対物レンズ１１に対してレーザ光線の透過側の位置には、光ディスク１２が配置されており、この光ディスク１２の記録面に、対物レンズ１１を透過したレーザ光線が照射されることによって、光ディスク１２からの情報の取得または光ディスク１２に対する情報の書込みが行われるようになっている。
【０１２０】
光ディスク１２の記録面に照射されたレーザ光線は、反射レーザ光線として記録面で反射された後に、対物レンズ１１およびコリメータレンズ１０を経て分光光学系８の位置まで戻り、この分光光学系８において所定の角度（図３において９０°）で反射されるようになっている。
【０１２１】
分光光学系８に対して反射レーザ光線の反射側の位置には、シリンドリカルレンズ１４が配設されており、このシリンドリカルレンズ１４は、反射レーザ光線を集光した上で透過させるようになっている。
【０１２２】
シリンドリカルレンズ１４に対して反射レーザ光線の透過側の位置には、フォトディテクタ１５が配設されており、このフォトディテクタ１５に入射した反射レーザ光線が光電変換によって電気信号に変換されるようになっている。
【０１２３】
次に、本実施形態における光ピックアップ装置３６の作用について説明する。
【０１２４】
まず、光ピックアップ装置３６に光ディスク１２としてのＤＶＤ（ＤＶＤ−Ｒ、ＤＶＤ−ＲＷ、ＤＶＤ＋Ｒ、ＤＶＤ＋ＲＷ、ＤＶＤ−ＲＯＭ、ＤＶＤ−ＲＡＭを含む）を搭載し、このＤＶＤの読取りまたは書込みを行う場合には、２波長レーザ光源４のうちの短波長側のレーザ光源２から短波長レーザ光線を出射させる。
【０１２５】
レーザ光源２から出射された短波長レーザ光線は、光学部品２０における第１回折格子２６に垂直に入射すると、回折せずにそのまま第１回折格子２６を透過する。
【０１２６】
そして、第１回折格子２６を透過した短波長レーザ光線は、第２回折格子２７に入射すると、回折せずにそのまま第２回折格子２７を透過する。
【０１２７】
さらに、第２回折格子２７を透過した短波長レーザ光線は、第３回折格子２８に入射するとともに、この第３回折格子２８において回折することによって、１つのメインビームＢ’Ｍ と２つのサブビームＢ’Ｓ とによりなる短波長側３ビームとなる。
【０１２８】
続いて、３ビーム状態の短波長レーザ光線は、第４回折格子２９に入射すると、回折せずにそのまま第４回折格子２９を透過して光学部品２０から出射される。
【０１２９】
光学部品２０から出射された短波長レーザ光線は、分光光学系８、コリメータレンズ１０および対物レンズ１１を経てＤＶＤの記録面に照射される。
【０１３０】
このとき、短波長側３ビームのメインビームＢ’Ｍ が、ＤＶＤの記録面における情報の読取りまたは書込みを行う位置に適正に照射され、また、短波長側３ビームの両サブビームＢ’Ｓ が、記録面におけるトラッキングサーボを維持するための所定の位置に適正に照射される。
【０１３１】
そして、ＤＶＤの記録面に照射されて反射された短波長レーザ光線は、対物レンズ１１およびコリメータレンズ１０を経て分光光学系８において反射された後、シリンドリカルレンズ１４を透過してフォトディテクタ１５に適正に入射する。
【０１３２】
これにより、短波長レーザ光線を用いたＤＶＤの読取りおよび書込みを適正に行うことができる。
【０１３３】
次に、光ピックアップ装置３６に、光ディスク１２としてのＣＤ（ＣＤ−Ｒ、ＣＤ−ＲＷを含む）を搭載し、このＣＤの読取りまたは書込みを行う場合には、２波長レーザ光源４のうちの長波長側のレーザ光源３から長波長レーザ光線を出射させる。
【０１３４】
レーザ光源３から出射された長波長レーザ光線は、光学部品２０における第１回折格子２６に垂直に入射すると、この第１回折格子２６において回折する。
【０１３５】
そして、第１回折格子２６における回折によって生じた長波長レーザ光線についての第１回折格子２６における+１次の回折光は、第２回折格子２７に入射するとともに、この第２回折格子２７において回折することにより、１つのメインビームＢＭ と２つのサブビームＢＳ とからなる長波長側３ビームとなる。
【０１３６】
次いで、長波長側３ビームは、第３回折格子２８に入射すると、回折せずにそのまま第３回折格子２８を透過する。
【０１３７】
さらに、第３回折格子２８を透過した長波長側３ビームは、第４回折格子２９に入射すると、この第４回折格子２９において回折する。
【０１３８】
この回折によって生じた長波長側３ビームのメインビームＢＭ についての第４回折格子２９における+１次の回折光は、その光線軸が、前述した短波長側３ビームのメインビームＢ’Ｍの光線軸と一致することになる。
【０１３９】
すなわち、長波長側３ビームのメインビームＢＭ についての第４回折格子２９における+１次の回折光と、短波長側３ビームのメインビームＢ’Ｍとの光線軸が、ともに対物レンズ１１等の光ピックアップ３６の光学系の光軸と一致することになり、これによって、長波長レーザ光線の光線軸調整が適正になされる。
【０１４０】
光線軸調整がなされた３ビーム状態の長波長レーザ光線は、第４回折格子２９を介して光学部品２０から出射された後、分光光学系８、コリメータレンズ１０および対物レンズ１１を経てＣＤの記録面に照射される。
【０１４１】
このとき、長波長側３ビームのメインビームＢＭ についての第４回折格子２９における+１次の回折光は、ＣＤの記録面における情報の読取りまたは書込みを行う位置に適正に照射される。
【０１４２】
また、このとき、長波長側３ビームの両サブビームＢＳ についての第４回折格子２９における+１次の回折光は、ＣＤの記録面におけるトラッキングサーボを維持するための位置に適正に照射される。
【０１４３】
そして、ＣＤの記録面に照射されて反射された長波長レーザ光線は、対物レンズ１１およびコリメータレンズ１０を経て分光光学系８において反射された後、シリンドリカルレンズ１４を透過してフォトディテクタ１５に適正に入射する。
【０１４４】
これにより、長波長レーザ光線を用いたＣＤの読取りおよび書込みを適正に行うことができる。
【０１４５】
次に、本発明に係る光学部品およびこれを備えた光ピックアップ装置の第２実施形態について、図４を参照して説明する。
【０１４６】
なお、第１実施形態と基本的構成の同一もしくはこれに類する箇所については、同一の符号を用いて説明する。
【０１４７】
本実施形態においては、光ピックアップ装置内における光学部品の配置位置および光学部品以外の光学系の構造および配置位置は、第１実施形態と同様である。
【０１４８】
さらに、本実施形態における光学部品３７は、第１光学機能部２１ａにおける入射側の光学機能面Ｓ１に第１回折格子３８が、出射側の光学機能面Ｓ２ に第２回折格子３９がそれぞれ形成され、また、第２光学機能部２２ａにおける入射側の光学機能面Ｓ３ に第３回折格子４０が、出射側の光学機能面Ｓ４ に第４回折格子４１がそれぞれ形成されている点においては、第１実施形態と同様である。
【０１４９】
ただし、本実施形態における光学部品３７は、第１乃至第４回折格子３８，３９，４０，４１の個々の構造が第１実施形態とは異なっている。
【０１５０】
すなわち、図４に示すように、本実施形態においては、第２回折格子３９と第４回折格子４１とが、２段からなる段構造４３，４５を有するように形成されている。
【０１５１】
また、第１回折格子３８と第３回折格子４０とが、６段からなる階段状の段構造４２，４４を有するように形成されている。各段構造４２，４４の段数は、少なくとも３段であればよく、また、互いに同一でなくてもよい。
【０１５２】
なお、図４に示すように、本実施形態における光学部品３７は、第１実施形態の光学部品２０における第２光学機能部２２ａを図１において上下反転させたものと同様の構成となっている。
【０１５３】
また、第１回折格子３８における段構造４２の整列方向と、第３回折格子４０における段構造の整列方向とは、互いに平行（同一）であることを要する。これに対して、第２回折格子３９における段構造４３の整列方向と、第４回折格子４１における段構造４５の整列方向とは、互いに平行であってもよいし、光学機能部２１ａ，２２ａの中心軸を支点とした回転方向に所定の角度だけずれていてもよい。
【０１５４】
さらに、図４に示すように、第１回折格子３８は、短波長レーザ光線を回折させずにそのまま透過させ、かつ、長波長レーザ光線を回折させるように形成されている。
【０１５５】
第２回折格子３９は、短波長レーザ光線を回折させずにそのまま透過させ、かつ、第１回折格子３８における回折によって生じた長波長レーザ光線についての第１回折格子３８における+１次の回折光を回折させることにより、長波長側３ビームを発生させるように形成されている。
【０１５６】
ここで、図４に示すように、本実施形態における長波長側３ビームは、長波長レーザ光線の第１回折格子３８における＋１次の回折光についての第２回折格子３９における０次の回折光（０次光）であるメインビームＢＭ と、長波長側レーザ光線の第１回折格子３８における＋１次の回折光についての第２回折格子３９における±１次の回折光であるサブビームＢＳ とにより構成されている。
【０１５７】
第３回折格子４０は、短波長レーザ光線を回折させずにそのまま透過させ、かつ、長波長側３ビームを回折させるように形成されている。
【０１５８】
第４回折格子４１は、短波長レーザ光線を回折させることにより短波長側３ビームを発生させ、かつ、長波長側３ビームは回折させずにそのまま透過させるように形成されている。
【０１５９】
ここで、図４に示すように、本実施形態における短波長側３ビームは、短波長レーザ光線の第４回折格子４１における０次の回折光（０次光）であるメインビームＢ’Ｍ と、短波長レーザ光線の第４回折格子４１における±１次の回折光であるサブビームＢ’Ｓ とにより構成されている。
【０１６０】
そして、長波長側３ビームのメインビームＢＭ についての第３回折格子４０における＋１次の回折光と、短波長側３ビームのメインビームＢ’Ｍ との光線軸が互いに一致するとともに、互いに一致した両光線軸が、対物レンズ１１等の光学系の光軸と一致するようになっている。
【０１６１】
したがって、本実施形態においても、第１実施形態と同様に、第１乃至第４回折格子３８，３９，４０，４１によって短波長側および長波長側３ビームの発生と光線軸調整とを高精度に行うことができ、２波長レーザ光線の双方において、光ディスクに対する情報の読取りおよび書込みを高精度に行うことができる。
【０１６２】
なお、本実施形態においても、各回折格子３８，３９，４０，４１における段構造４２，４３，４４，４５のピッチ（ｐ１ 、ｐ２ 、ｐ３ 、ｐ４ ）、段差（ｔ１ 、ｔ２、ｔ３ 、ｔ４ ）、デューティ比（ｗ１ ／ｐ１ 、ｗ２ ／ｐ２ ’、ｗ３ ／ｐ３ 、ｗ４ ／ｐ４ ）、両光学機能部２１ａ，２２ａ間の距離ｄおよび各光学機能部２１ａ，２２ａの屈折率（ｎ１ ，ｎ２ ）については、コンセプトに応じて所望の値を選択することができる。
【０１６３】
次に、本発明に係る光学部品およびこれを備えた光ピックアップ装置の第３実施形態について、図５を参照して説明する。
【０１６４】
なお、第１実施形態と基本的構成の同一もしくはこれに類する箇所については、同一の符号を用いて説明する。
【０１６５】
本実施形態においては、光ピックアップ装置内における光学部品の配置位置および光学部品以外の光学系の構造および配置位置は、第１実施形態と同様である。
【０１６６】
さらに、本実施形態における光学部品４６は、第１光学機能部２１ａにおける入射側の光学機能面Ｓ１に第１回折格子４７が、出射側の光学機能面Ｓ２ に第２回折格子４８が、また、第２光学機能部２２ａにおける入射側の光学機能面Ｓ３ に第３回折格子４９が、出射側の光学機能面Ｓ４ に第４回折格子５０がそれぞれ形成されている点においては、第１実施形態と同様である。
【０１６７】
ただし、本実施形態における光学部品４６は、第１乃至第４回折格子４７，４８，４９，５０の個々の構造が第１実施形態とは異なっている。
【０１６８】
すなわち、図５に示すように、本実施形態においては、第１回折格子４７と第３回折格子４９とが、２段からなる段構造５１，５３を有するように形成されている。
【０１６９】
また、第２回折格子４８と第４回折格子５０とが、６段からなる階段状の段構造５２，５４を有するように形成されている。各段構造５２，５４の段数は、少なくとも３段であればよく、また、互いに同一でなくてもよい。
【０１７０】
なお、図５に示すように、本実施形態における光学部品４６は、第１実施形態の光学部品２０における第１光学機能部２１ａを図１において上下反転させたものと同様の構成となっている。
【０１７１】
また、第２回折格子４８における段構造５２の整列方向と、第４回折格子５０における段構造５４の整列方向とは、互いに平行であることを要する。これに対して、第１回折格子４７における段構造５１の整列方向と、第３回折格子４９における段構造５３の整列方向とは、互いに平行であってもよいし、光学機能部２１ａ，２２ａの中心軸を支点とした回転方向に所定の角度だけずれていてもよい。
【０１７２】
さらに、図５に示すように、第１回折格子４７は、短波長レーザ光線を回折させずにそのまま透過させ、かつ、長波長レーザ光線を回折させるよって長波長側３ビームを発生させるように形成されている。
【０１７３】
ここで、本実施形態における長波長側３ビームは、長波長レーザ光線の第１回折格子４７における０次の回折光（０次光）であるメインビームＢＭ と、長波長レーザ光線の第１回折格子４７における±１次の回折光であるサブビームＢＳ とにより構成されている。
【０１７４】
第２回折格子４８は、短波長レーザ光線を回折させずにそのまま透過させ、かつ、長波長側３ビームを回折させるように形成されている。
【０１７５】
第３回折格子４０は、短波長レーザ光線を回折させることにより、短波長側３ビームを発生させ、かつ、長波長側３ビームを回折させずにそのまま透過させるように形成されている。
【０１７６】
ここで、本実施形態における短波長側３ビームは、短波長レーザ光線の第３回折格子４９における０次の回折光（０次光）であるメインビームＢ’Ｍ と、短波長レーザ光線の第３回折格子４９における±１次の回折光であるサブビームＢ’Ｓ とにより構成されている。
【０１７７】
第４回折格子５０は、短波長レーザ光線を回折させずにそのまま透過させ、かつ、長波長側３ビームを回折させるように形成されている。
【０１７８】
そして、長波長側３ビームのメインビームＢＭ の第２回折格子４８における＋１次の回折光についての第４回折格子５０における＋１次の回折光と、短波長側３ビームのメインビームＢ’Ｍ との光線軸が互いに一致するとともに、互いに一致した両光線軸が、対物レンズ１１等の光学系の光軸と一致するようになっている。
【０１７９】
したがって、本実施形態においても、第１実施形態と同様に、第１乃至第４回折格子４７，４８，４９，５０によって短波長側および長波長側３ビームの発生と光線軸調整とを高精度に行うことができ、２波長レーザ光線の双方において、光ディスクに対する情報の読取りおよび書込みを高精度に行うことができる。
【０１８０】
なお、本実施形態においても、各回折格子４７，４８，４９，５０における段構造５１，５２，５３，５４のピッチ（ｐ１ 、ｐ２ 、ｐ３ 、ｐ４ ）、段差（ｔ１ 、ｔ２、ｔ３ 、ｔ４ ）、デューティ比（ｗ１ ／ｐ１ 、ｗ２ ／ｐ２ ’、ｗ３ ／ｐ３ 、ｗ４ ／ｐ４ ）、両光学機能部２１ａ，２２ａ間の距離ｄおよび各光学機能部２１ａ，２２ａの屈折率（ｎ１ ，ｎ２ ）については、コンセプトに応じて所望の値を選択することができる。
【０１８１】
次に、本発明に係る光学部品およびこれを備えた光ピックアップ装置の第４実施形態について、図６を参照して説明する。
【０１８２】
なお、第１実施形態と基本的構成の同一もしくはこれに類する箇所については、同一の符号を用いて説明する。
【０１８３】
本実施形態においては、光ピックアップ装置内における光学部品の配置位置および光学部品以外の光学系の構造および配置位置は、第１実施形態と同様である。
【０１８４】
さらに、本実施形態における光学部品５５は、第１光学機能部２１ａにおける入射側の光学機能面Ｓ１に第１回折格子５６が、出射側の光学機能面Ｓ２ に第２回折格子５７が、また、第２光学機能部２２ａにおける入射側の光学機能面Ｓ３ に第３回折格子５８が、出射側の光学機能面Ｓ４ に第４回折格子５９がそれぞれ形成されている点においては、第１実施形態と同様である。
【０１８５】
ただし、本実施形態における光学部品５５は、第１乃至第４回折格子５６，５７，５８，５９の個々の構造が第１実施形態とは異なっている。
【０１８６】
すなわち、図６に示すように、本実施形態においては、第１回折格子５６と第４回折格子５９とが、２段からなる段構造６０，６３を有するように形成されている。
【０１８７】
また、第２回折格子５７と第３回折格子５８とが、６段からなる階段状の段構造６１，６２を有するように形成されている。各段構造６１，６２の段数は、少なくとも３段であればよく、また、互いに同一でなくてもよい。
【０１８８】
なお、図６に示すように、本実施形態における光学部品５５は、第１実施形態の光学部品２０における第１光学機能部２１ａおよび第２光学機能部２２ａの双方を図１において上下反転させたものと同様の構成となっている。
【０１８９】
また、第２回折格子５７における段構造６１の整列方向と、第３回折格子５８における段構造６２の整列方向とは、互いに平行であることを要する。これに対して、第１回折格子５６における段構造６０の整列方向と、第４回折格子５９における段構造６３の整列方向とは、互いに平行であってもよいし、光学機能部２１ａ，２２ａの中心軸を支点とした回転方向に所定の角度だけずれていてもよい。
【０１９０】
さらに、図６に示すように、第１回折格子５５は、短波長レーザ光線を回折させずにそのまま透過させ、かつ、長波長レーザ光線を回折させるよって長波長側３ビームを発生させるように形成されている。
【０１９１】
ここで、本実施形態における長波長側３ビームは、長波長レーザ光線の第１回折格子５６における０次の回折光（０次光）であるメインビームＢＭ と、長波長レーザ光線の第１回折格子５６における±１次の回折光であるサブビームＢＳ とにより構成されている。
【０１９２】
第２回折格子５７は、短波長レーザ光線を回折させずにそのまま透過させ、かつ、長波長側３ビームを回折させるように形成されている。
【０１９３】
第３回折格子５８は、短波長レーザ光線を回折させずにそのまま透過させ、かつ、長波長側３ビームを回折させるように形成されている。
【０１９４】
第４回折格子５９は、短波長レーザ光線を回折させることによって短波長側３ビームを発生させ、かつ、長波長側３ビームを回折させずにそのまま透過させるように形成されている。
【０１９５】
ここで、本実施形態における短波長側３ビームは、短波長レーザ光線の第４回折格子５９における０次の回折光（０次光）であるメインビームＢ’Ｍ と、短波長レーザ光線の第４回折格子５９における±１次の回折光であるサブビームＢ’Ｓ とにより構成されている。
【０１９６】
そして、長波長側３ビームのメインビームＢＭ の第２回折格子５７における＋１次の回折光についての第３回折格子５８における＋１次の回折光と、短波長側３ビームのメインビームＢ’Ｍ との光線軸が互いに一致するとともに、互いに一致した両光線軸が、対物レンズ１１等の光学系の光軸と一致するようになっている。
【０１９７】
したがって、本実施形態においても、第１実施形態と同様に、第１乃至第４回折格子５６，５７，５８，５９によって短波長側および長波長側３ビームの発生と光線軸調整とを高精度に行うことができ、２波長レーザ光線の双方において、光ディスクに対する情報の読取りおよび書込みを高精度に行うことができる。
【０１９８】
なお、本実施形態においても、各回折格子５６，５７，５８，５９における段構造６０，６１，６２，６３のピッチ（ｐ１ 、ｐ２ 、ｐ３ 、ｐ４ ）、段差（ｔ１ 、ｔ２、ｔ３ 、ｔ４ ）、デューティ比（ｗ１ ／ｐ１ 、ｗ２ ／ｐ２ ’、ｗ３ ／ｐ３ 、ｗ４ ／ｐ４ ）、両光学機能部２１ａ，２２ａ間の距離ｄおよび各光学機能部２１ａ，２２ａの屈折率（ｎ１ ，ｎ２ ）については、コンセプトに応じて所望の値を選択することができる。
【０１９９】
なお、本発明は、前述した実施の形態に限定されるものではなく、必要に応じて種々の変更が可能である。
【図面の簡単な説明】
【０２００】
【図１】本発明に係る光学部品の第１実施形態を模式的に示す縦断面図
【図２】本発明に係る光学部品の第１実施形態を模式的に示す拡大縦断面図
【図３】本発明に係る光ピックアップ装置の第１実施形態を示す構成図
【図４】本発明に係る光学部品およびこれを備えた光ピックアップ装置の第２実施形態における光学部品を模式的に示す拡大縦断面図
【図５】本発明に係る光学部品およびこれを備えた光ピックアップ装置の第３実施形態における光学部品を模式的に示す拡大縦断面図
【図６】本発明に係る光学部品およびこれを備えた光ピックアップ装置の第４実施形態における光学部品を模式的に示す拡大縦断面図
【図７】従来の光ピックアップ装置の一例を示す構成図
【符号の説明】
【０２０１】
２，３  レーザ光源
４  ２波長レーザ光源
１２  光ディスク
１５  フォトディテクタ
２０  光学部品
２６  第１回折格子
２７  第２回折格子
２８  第３回折格子
２９  第４回折格子
３１  段構造
３２  段構造
３３  段構造
３４  段構造
３６  光ピックアップ装置
【図１】
2006012320.tif 000003
【図２】
2006012320.tif 000004
【図３】
2006012320.tif 000005
【図４】
2006012320.tif 000006
【図５】
2006012320.tif 000007
【図６】
2006012320.tif 000008
【図７】
2006012320.tif 000009